【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
自動注入をシミュレートするための自動注射訓練装置であって、訓練装置は、
長手軸に沿って延在する長尺の筐体であって、筐体は近位末端および遠位末端を有し、近位末端は作動部材を含む、長尺の筐体と、
筐体の内部に設けられた可動部材であって、筐体に対して移動可能な可動部材と、
作動部材の始動に応えて自動注入をシミュレートするように可動部材を作動するために、筐体の内部に設けられた発射アセンブリと、
訓練装置を用いて実際の自動注射装置の操作順序についてユーザを訓練するように音声の出力を制御するために筐体の内部に設けられた回路と、を含む訓練装置。
【請求項２】
可動部材がスリーブを含む、請求項１に記載の訓練装置。
【請求項３】
可動部材がプランジャを含む、請求項１に記載の訓練装置。
【請求項４】
可動部材がプランジャおよびスリーブを含み、スリーブはプランジャの少なくとも一部を包囲し、プランジャはスリーブおよび筐体のうちの少なくとも１つに対して移動可能である、請求項１に記載の訓練装置。
【請求項５】
回路が電源を含む、請求項１に記載の訓練装置。
【請求項６】
ユーザと回路との間にインターフェースを提供するために筐体に対して設けられた制御インターフェースをさらに含み、制御インターフェースは回路の動作を制御するための１つ以上の制御部を含む、請求項１に記載の訓練装置。
【請求項７】
回路が、
音声を出力するための音声回路と、
音声回路によって出力される音声を記憶するための不揮発性記憶装置と、
音声の出力を制御するように構成されたプログラマブル処理装置と、を含む、請求項１に記載の訓練装置。
【請求項８】
回路が、プログラマブル処理装置の動作を制御するためにプログラマブル処理装置と電気通信する制御インターフェース回路をさらに含む、請求項７に記載の訓練装置。
【請求項９】
制御インターフェース回路が、回路の動作を制御するためにプログラマブル処理装置への入力を提供するためにユーザによって動作可能な制御部を含む、請求項８に記載の訓練装置。
【請求項１０】
制御部が、音声の出力言語を選択するための出力言語セレクタ、および音声の出力を開始するための音声再生制御部のうちの少なくとも１つを含む、請求項９に記載の訓練装置。
【請求項１１】
制御インターフェース回路が、回路の動作を制御するためにプログラマブル処理装置への入力を提供するため、訓練装置の状態を検出する１つ以上のセンサを含む、請求項７に記載の訓練装置。
【請求項１２】
訓練装置の操作に対応する視覚的標識をさらに含む、請求項１に記載の訓練装置。
【請求項１３】
視覚的標識が光源である、請求項１２に記載の訓練装置。
【請求項１４】
光源が発光ダイオードである、請求項１３に記載の訓練装置。
【請求項１５】
光源が訓練装置の動作の状態を示す、請求項１３に記載の訓練装置。
【請求項１６】
光源が、音声の出力に対応するために筐体の一部を点灯する、請求項１３に記載の訓練装置。
【請求項１７】
標識が、可動部材に対して設けられている、請求項１２に記載の訓練装置。
【請求項１８】
標識が単色図形である、請求項１７に記載の訓練装置。
【請求項１９】
回路が、異なる言語で音声を出力するように構成可能とされている、請求項１に記載の訓練装置。
【請求項２０】
回路が、訓練装置の操作が音声に対応しているか否かを判断することなく音声が回路によって出力される第一モードと、少なくとも部分的に訓練装置の動作が出力中の音声に対応するという判断に応えて音声が回路によって出力される第二モードと、のうちの少なくとも１つで動作するように構成されている、請求項１に記載の訓練装置。
【請求項２１】
訓練装置の遠位末端に対して配置可能な末端キャップをさらに含み、末端キャップは可動部材の作動後に装置をリセットするように構成されている、請求項１に記載の訓練装置。
【請求項２２】
末端キャップが、突出位置から後退位置まで可動部材を押し進めるため、筐体の遠位末端の開口部を通じて延在するように構成されたリセット部材を含む、請求項２１に記載の訓練装置。
【請求項２３】
回路が、訓練装置から離れた別の装置と電気通信するように構成されている、請求項１に記載の訓練装置。
【請求項２４】
別の装置が計算装置を含む、請求項２３に記載の訓練装置。
【請求項２５】
プランジャが、後退位置と突出位置との間で筐体に対して移動可能であり、本体部分、および長手軸に沿って延在する保持部材を含む、請求項３に記載の訓練装置。
【請求項２６】
発射アセンブリが、
選択的にプランジャを後退位置に保持するためのプランジャ作動ホルダと、
プランジャを突出位置まで付勢するように構成された付勢部材と、をさらに含む、請求項２５に記載の訓練装置。
【請求項２７】
作動部材の作動がプランジャ作動ホルダからプランジャを解放し、付勢部材は後退位置から突出位置まで筐体の遠位末端に向かって長手軸に沿ってプランジャを押し進める、請求項２６に記載の訓練装置。
【請求項２８】
スリーブが、後退位置と突出位置との間で筐体に対して移動可能であり、長手軸に沿って延在する略管状体を含み、スリーブは第二付勢部材によって後退位置において付勢される、請求項２に記載の訓練装置。
【請求項２９】
スリーブが、作動部材の作動に応えて後退位置から突出位置まで押し進められる、請求項２８に記載の訓練装置。
【請求項３０】
スリーブおよびプランジャが互いに対して移動可能であり、各々が筐体に対して移動可能である、請求項４に記載の訓練装置。
【請求項３１】
回路が、音声の出力を自動的に一時停止し、再生ボタンの作動に応えて音声の出力を再開する、請求項１に記載の訓練装置。
【請求項３２】
回路が、音声の連続出力と、音声の出力の自動一時停止との間で選択するように構成されている、請求項１に記載の訓練装置。
【請求項３３】
回路が、訓練装置の動作を監視するための１つ以上のセンサを含み、回路は、ユーザが音声の出力に含まれる指示に正しく従わなかったことを１つ以上のセンサが検出したときの修正指示、およびユーザが音声の出力に含まれる指示に正しく従ったことを１つ以上のセンサが検出したときの通知のうちの少なくとも１つを出力し、ユーザが音声の出力に含まれる指示に正しく従わなかったことを１つ以上のセンサが検出したときに音声の出力に含まれる指示を繰り返し、１つ以上のセンサからの入力に応えて音声の出力を自動的に一時停止するように構成されている、請求項１に記載の訓練装置。
【請求項３４】
回路が、ユーザへの指示を出力し、出力を後続の指示に進める前に指示が正しく完了したことを確認するようにプログラムされている、請求項１に記載の訓練装置。
【請求項３５】
回路が、ユーザが推奨される順序から逸脱しようとしたときにユーザに警告する、請求項１に記載の訓練装置。
【請求項３６】
自動注入をシミュレートするための請求項１から６、８から１０、または１２から３５のいずれか一項に記載の自動注射訓練装置と、
情報資料であって、自動注射訓練装置の説明、訓練装置に対応する実際の自動注射装置の説明、自動注射訓練装置の使用についてユーザを訓練するための情報、および実際の自動注射装置の使用についてユーザを訓練するための情報のうちの少なくとも１つに対応する情報を含む、情報資料と、を含むキット。
【請求項３７】
自動注射訓練装置と少なくとも１つの印刷文書とを保持するための入れ物をさらに含む、請求項３６に記載のキット。
【請求項３８】
情報資料が、音声情報と動画情報のうちの少なくとも１つの記憶する、デジタル多用途ディスク、ＣＤ−ＲＯＭ、およびフラッシュドライブのうちの少なくとも１つを含む、請求項３６に記載のキット。
【請求項３９】
情報資料が少なくとも１つの印刷文書を含む、請求項３６に記載のキット。
【請求項４０】
ユーザによって作動可能であって、回路に音声の出力の一部を繰り返させるように構成された繰り返しボタンをさらに含む、請求項１に記載の訓練装置。